(57)【要約】【課題】露光感度自動変更モードにおいて露光感度が自動変更されやすくする電子カメラを得る。【解決手段】電子カメラはプログラム自動露出制御モードに設定されると、被写体輝度ＢＶおよび設定撮像感度ＳＶｓを用いて制御露出を演算する。制御シャッタ速度ＴＶｃの範囲は、３０秒≦ＴＶｃ≦１／４０００秒である。電子カメラは撮像感度自動変更モード（Ｓ２１４（図７）を肯定判定）で適正露出が得られないとき、設定撮像感度ＳＶｓに代えて制御撮像感度ＳＶｃを演算する（Ｓ２２３）。ＴＶｃ＜ＴＶ０が成立する場合（Ｓ２１７（図７）を肯定判定）は、制御シャッタ速度ＴＶｃの制御範囲の低速側を３０秒から１／３０秒に一旦変更した上で（Ｓ２２２）制御撮像感度ＳＶｃを決定する（Ｓ２２３）。制御撮像感度ＳＶｃ≦９の範囲で適正露出が得られないとき（Ｓ２２４を肯定判定）、制御シャッタ速度ＴＶｃの制御範囲の低速側を３０秒に戻して（Ｓ２２１、Ｓ２２６、Ｓ２２７）制御露出を得る。【選択図】図８
2005005971.tif 000002
【特許請求の範囲】
【請求項１】
撮影レンズを通して被写体像を撮像する撮像装置と、
被写体の輝度を検出する輝度検出手段と、
設定されている露光感度、露光時間、絞り値、および前記輝度検出手段で検出される被写体輝度のうち少なくとも前記露光感度および前記被写体輝度を用いて露出演算を行い、適正露出に近づけるように少なくとも前記露光時間を変更して制御露出を演算する自動露出演算手段とを備え、
前記自動露出演算手段は、前記露光時間の設定可能範囲内の所定範囲で前記変更を行うことを特徴とする電子カメラ。
【請求項２】
請求項１に記載の電子カメラにおいて、
前記自動露出演算手段は、前記制御露出が適正露出と異なる場合に前記適正露出に近づけるように前記露光感度を変更して制御露出をさらに演算することを特徴とする電子カメラ。
【請求項３】
請求項２に記載の電子カメラにおいて、
前記自動露出演算手段は、前記所定範囲の長秒時側において前記露光感度を変更することを特徴とする電子カメラ。
【請求項４】
請求項３に記載の電子カメラにおいて、
前記長秒時側の露光時間は、前記撮影レンズの手ぶれ限界に対応することを特徴とする電子カメラ。
【請求項５】
請求項３または４に記載の電子カメラにおいて、
前記長秒時側の露光時間は、前記自動露出演算手段にあらかじめ設定されていることを特徴とする電子カメラ。
【請求項６】
請求項３に記載の電子カメラにおいて、
前記長秒時側の露光時間は、前記撮影レンズの焦点距離に応じて変更することを特徴とする電子カメラ。
【発明の詳細な説明】
【０００１】
【発明の属する技術分野】
本発明は、撮像素子などによって撮像した画像データを記録する電子カメラに関する。
【０００２】
【従来の技術】
撮像感度（露光感度）を自動的に変更する電子スチルカメラが知られている（たとえば、特許文献１参照）。特許文献１に記載の電子スチルカメラは、撮像感度が変更可能（撮像感度自動変更モードと呼ぶことにする）に設定されているとき、被写体輝度に応じて絞り値、シャッタ速度、ならびに撮像感度を決定する。撮像感度は、シャッタ速度および絞り値が制御限界に達しても適正露出が得られていない場合に、適正露出に近づけるように自動的に変更される。
【０００３】
【特許文献１】
特開平１１−１５０６７９号公報
【０００４】
【発明が解決しようとする課題】
上記電子スチルカメラは、いわゆる絞り優先自動露出モードに設定されている場合で低輝度状態のとき、制御シャッタ速度が制御限界（たとえば、３０秒）まで制御された後で撮像感度が変更される。このため、撮像感度自動変更モードに設定されているにもかかわらず、撮像感度を自動的に変更する機会が少なくなってしまう。
【０００５】
本発明は、たとえば、露光感度自動変更モードにおいて露光感度が自動変更されやすくする電子カメラを提供するものである。
【０００６】
【課題を解決するための手段】
【０００７】
本発明による電子カメラは、撮影レンズを通して被写体像を撮像する撮像装置と、被写体の輝度を検出する輝度検出手段と、設定されている露光感度、露光時間、絞り値、および輝度検出手段で検出される被写体輝度のうち少なくとも露光感度および被写体輝度を用いて露出演算を行い、適正露出に近づけるように少なくとも露光時間を変更して制御露出を演算する自動露出演算手段とを備え、露光時間の設定可能範囲内の所定範囲で変更を行うように自動露出演算手段を構成したものである。
上記自動露出演算手段は、制御露出が適正露出と異なる場合に適正露出に近づけるように露光感度を変更して制御露出をさらに演算することもできる。自動露出演算手段はさらに、所定範囲の長秒時側において露光感度を変更することもできる。長秒時側の露光時間は、撮影レンズの手ぶれ限界に対応させてもよい。長秒時側の露光時間は、自動露出演算手段にあらかじめ設定されるようにしてもよい。
長秒時側の露光時間は、撮影レンズの焦点距離に応じて変更してもよい。
【０００８】
【発明の実施の形態】
以下、図面を参照して本発明の実施の形態を説明する。
（第一の実施の形態）
図１は、本発明の第一の実施の形態による電子カメラの構成を示すブロック図である。図１において、演算回路１０１は、マイクロコンピュータなどによって構成される。演算回路１０１は、後述する各ブロックから出力される信号を入力して所定の演算を行い、演算結果に基づいて制御信号を各ブロックへ出力する。撮像素子１２１は、ＣＣＤイメージセンサなどによって構成される。撮像素子１２１は、撮影レンズＬを通過した被写体光による像を撮像し、撮像信号をＡ／Ｄ変換回路１２２へ出力する。
【０００９】
Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定の動作タイミングで駆動される。
【００１０】
撮像素子１２１は、後述する撮像感度自動変更モード時に撮像感度（露光感度）をＩＳＯ１００相当〜ＩＳＯ１６００相当の範囲で所定のステップで変更可能に構成されている。撮像感度とは、撮像素子１２１に蓄積される信号電荷の検出感度、もしくは不図示の増幅回路の増幅利得を変化させる被制御量のことをいう。撮像感度は、相当するＩＳＯ感度値で示される。
【００１１】
撮像信号処理回路を構成するＡＳＩＣ１２３は、ディジタル変換後の信号に所定の画像処理を行う。画像処理は、ホワイトバランス（ＷＢ）調整処理、画像データを所定の形式で圧縮する圧縮処理、圧縮処理後のデータを伸長する伸長処理を含む。バッファメモリ１２５は、ＡＳＩＣ１２３によって信号処理された画像データを逐次入力し、当該データを一時的に格納する。記録媒体１２６は、着脱可能なフラッシュメモリなどによって構成される。記録媒体１２６は、バッファメモリ１２５に一時格納されている画像データを記録する。
【００１２】
感度設定操作部材１０２は、撮像感度設定操作に応じて操作信号を演算回路１０１へ出力する。演算回路１０１は、撮像感度設定操作信号に応じて上述した撮像素子１２１の撮像感度の設定値を変更する。設定撮像感度ＳＶｓの設定範囲は、たとえば、５≦ＳＶｓ≦９、すなわち、ＩＳＯ１００相当〜ＩＳＯ１６００相当の範囲で設定可能に構成されている。
【００１３】
露出モード設定操作部材１０３は、露出モード設定操作に応じてプログラム自動露出制御モード（Ｐ）、シャッタ速度優先自動露出制御モード（Ｓ）、絞り優先自動露出制御モード（Ａ）、およびマニュアル露出モード（Ｍ）への切り換え操作信号を演算回路１０１へ出力する。
【００１４】
プログラム自動露出制御モードでは、適正露出が得られるように撮像素子１２１の露光時間および絞り値を所定の組み合わせで変更可能にして制御露出を演算する。シャッタ速度（露光時間）優先自動露出制御モードでは、設定されている露光時間で適正露出が得られるように絞り値を変更可能にして制御露出を演算する。絞り優先自動露出制御モードでは、設定されている絞り値で適正露出が得られるように露光時間を変更可能にして制御露出を演算する。マニュアル露出モードでは、設定されている露光時間および絞り値による制御露出と適正露出との偏差を演算する。
【００１５】
シャッタ速度設定操作部材１０４は、シャッタ速度設定操作に応じて操作信号を演算回路１０１へ出力する。演算回路１０１は、シャッタ速度設定操作信号に応じてシャッタの開口時間を設定し、上述した撮像素子１２１の露光時間を制御する。ここで、設定シャッタ速度（露光時間）ＴＶｓの設定範囲は、たとえば、−５≦ＴＶｓ≦１２、すなわち、３０秒〜１／４０００秒の範囲で設定可能に構成されている。
【００１６】
絞り設定操作部材１０５は、絞り設定操作に応じて操作信号を演算回路１０１へ出力する。演算回路１０１は、入力された絞り設定操作信号に応じて絞り値を設定する。設定絞り値ＡＶｓの設定範囲（すなわち、開放絞り値および最小絞り口径値）は、装着されている撮影レンズＬによって異なる。撮影レンズＬのレンズ情報は、後述するレンズ情報検出装置１０８を介して演算回路１０１へ入力される。
【００１７】
カスタムセッティング操作部材１０６は、少なくとも撮像感度自動変更モードの設定／解除を行うための操作部材である。カスタムセッティング操作部材１０６は、設定操作に応じて撮像感度自動変更モードの設定操作信号を演算回路１０１へ出力する。演算回路１０１は、入力される操作信号に応じて撮像感度自動変更モードの設定および解除を行う。撮像感度自動変更モードでは、適正露出に近づけるように、露出偏差ΔＥＶに応じて撮像感度を自動的に変更して制御露出が演算される。露出偏差ΔＥＶは、制御露出と適正露出との偏差である。感度自動変更モードが解除されていると、設定されている撮像感度で適正露出が得られるように制御露出が演算される。カスタムセッティング操作部材１０６は、撮像感度自動変更モードにおける感度変更シャッタ速度（詳細は後述する）の設定にも使用される。
【００１８】
表示装置１０７は、演算回路１０１の指令によりシャッタ速度、絞り値、設定撮像感度、露出モード、制御撮像感度、撮像感度自動変更モードの設定状態、撮像感度自動変更モードの作動状態などを表示する。
【００１９】
レンズ情報検出装置１０８は、レンズマウント（不図示）の近傍に配設されたインターフェイス回路によって構成される。レンズ情報検出装置１０８は、レンズマウントに装着された撮影レンズＬに内蔵されているレンズＣＰＵ（不図示）との間で通信を行い、レンズＣＰＵから得たレンズ情報を演算回路１０１へ転送する。なお、撮影レンズＬが未装着の場合はレンズＣＰＵからレンズ情報が得られないので、演算回路１０１が撮影レンズＬの未装着を判定する。
【００２０】
レリーズスイッチＳＷ１は、不図示のレリーズ操作ボタンの押し下げに連動してレリーズ操作信号を演算回路１０１へ出力する。測光装置１１１は、撮影レンズＬを透過した光量を検出し、検出信号を演算回路１０１へ出力する。
【００２１】
モータ駆動回路１１２は、演算回路１０１の指令によってシーケンスモータ１１３を駆動制御する。シーケンススイッチＳＷ２は、不図示のシーケンス駆動装置を構成し、シーケンスモータ１１３のブレーキ制御タイミングなどを発生するスイッチである。シーケンスモータ１１３は、不図示のシーケンス駆動装置を構成し、不図示のミラーのアップ／ダウン、不図示の絞りの駆動、およびシャッタ１１５のチャージなどを行う。シャッタ駆動回路１１４は、シャッタ１１５の不図示の先幕および後幕の保持および解除をそれぞれ制御する。
【００２２】
絞り位置検出装置１１６は、絞り値に対応する絞り位置を検出して検出信号を演算回路１０１に出力する。絞り係止装置１１７は、駆動中の絞りを係止し、所定の絞り値で絞りを停止させる。
【００２３】
本発明は、電子カメラの感度自動変更モードにおける動作（特に、プログラム自動露出制御モード（Ｐ）および絞り優先自動露出制御モード（Ａ））に特徴を有する。第一の実施の形態では、感度自動変更モードにおいて制御露出を演算するとき、制御シャッタ速度（露光時間）の範囲をあらかじめ設定される値（感度変更シャッタ速度）で制限する。
【００２４】
第一の実施の形態による電子カメラの演算回路１０１で行われるカメラ動作の処理の流れについて、図２のフローチャートを参照して説明する。図２のフローチャートによるプログラムは、電子カメラに不図示の電池が装填されると起動する。図２のステップＳ１において、演算回路１０１は以下の初期設定を行う。すなわち、設定撮像感度ＳＶｓを７（ＩＳＯ４００に相当）に、設定シャッタ速度ＴＶｓを７（１／１２５秒）に、設定絞り値ＡＶｓを５（Ｆ５．６）に、モードパラメータＭｐを１に、感度自動変更モード設定フラグＳを０に、感度変更シャッタ速度ＴＶ０を５（１／３０秒）に、それぞれセットしてステップＳ２へ進む。撮像感度ＳＶｓ、シャッタ速度ＴＶｓ、および絞り値ＡＶｓは、アペックス値が用いられる。
【００２５】
モードパラメータＭｐは、電子カメラがプログラム自動露出制御モード（Ｐ）に設定されると１に、シャッタ速度優先（露光時間優先）自動露出制御モード（Ｓ）に設定されると２に、絞り優先自動露出制御モード（Ａ）に設定されると３に、マニュアル露出モード（Ｍ）に設定されると４に、それぞれセットされるパラメータである。感度自動変更モード設定フラグＳは、電子カメラが撮像感度自動変更モードに設定されると１に、撮像感度自動変更モードが解除されると０にされるフラグである。感度変更シャッタ速度ＴＶ０は、プログラム自動露出制御モード（Ｐ）または絞り優先自動露出制御モード（Ａ）において、制御シャッタ速度の範囲を制限する場合の長秒時側（すなわち、低速側）のシャッタ速度である。
【００２６】
ステップＳ２において、演算回路１０１は、撮影レンズＬとの間で通信処理を行ってステップＳ３へ進む。通信処理の詳細については後述する。ステップＳ３において、演算回路１０１は、フラグＬ＝１か否かを判定する。フラグＬは、撮影レンズＬのレンズＣＰＵとの間で通信が成立すると１に、通信成立しない場合に０にされるフラグである。演算回路１０１は、Ｌ＝１の場合にステップＳ３を肯定判定してステップＳ４へ進み、Ｌ＝０の場合にステップＳ３を否定判定してステップＳ２へ戻る。演算回路１０１は、ステップＳ４へ進む場合には撮影レンズＬが装着されているとみなし、ステップＳ２へ戻る場合には撮影レンズＬが未装着とみなす。
【００２７】
ステップＳ４において、演算回路１０１は、設定処理を行ってステップＳ５へ進む。設定処理の詳細については後述する。ステップＳ５において、演算回路１０１は、測光装置１１１から入力される検出信号によってレンズ透過光量（ＢＶ−ＡＶ０）を検出する測光を行うとともに被写体輝度ＢＶを算出し、ステップＳ６へ進む。なお、被写体輝度ＢＶは、レンズ透過光量（ＢＶ−ＡＶ０）に開放絞り値ＡＶ０を加算することにより求めることができる。開放絞り値ＡＶ０は、通信処理で取得するレンズ情報に含まれる。
【００２８】
ステップＳ６において、演算回路１０１は、露出演算処理を行ってステップＳ７へ進む。露出演算処理の詳細については後述する。ステップＳ７において、演算回路１０１は、表示装置１０７に対する表示処理を行ってステップＳ８へ進む。表示処理の詳細については後述する。
【００２９】
ステップＳ８において、演算回路１０１は、レリーズスイッチＳＷ１が操作されたか否かを判定する。演算回路１０１は、レリーズスイッチＳＷ１から操作信号が入力された場合にステップＳ８を肯定判定してステップＳ９へ進み、レリーズスイッチＳＷ１から操作信号が入力されない場合にステップＳ８を否定判定してステップＳ２へ戻る。
【００３０】
ステップＳ９において、演算回路１０１は、撮像シーケンス処理を行ってステップＳ２へ戻る。撮像シーケンス処理の詳細については後述する。これにより、一連の撮影処理が終了する。
【００３１】
カメラ本体１および撮影レンズＬ間の通信処理の詳細について、図３のフローチャートを参照して説明する。図３のステップＳ１１において、演算回路１０１は、時間ｔの計時を開始してステップＳ１２へ進む。ｔの初期値は０である。ステップＳ１２において、演算回路１０１は、レンズＣＰＵとの間の通信が成立したか否かを判定する。通信成立の判定は、所定のプロトコルチェックによって行う。演算回路１０１は、通信成立の場合にステップＳ１２を肯定判定してステップＳ１２へ進む。一方、演算回路１０１は、通信不成立の場合にステップＳ１２を否定判定してステップＳ１６へ進む。
【００３２】
ステップＳ１３において、演算回路１０１は、レンズＣＰＵから取得したレンズ情報に含まれる開放絞り値ＡＶ０および最小口径絞り値ＡＶＭを解読してステップＳ１４へ進む。ステップＳ１４において、演算回路１０１は、フラグＬに１をセットしてステップＳ１５へ進む。ステップＳ１５において、演算回路１０１は、時間ｔの計時を停止して図２のステップＳ３へ進む。
【００３３】
上述したステップＳ１２を否定判定して進むステップＳ１６において、演算回路１０１は、計時時間ｔと所定時間Ｔとの間にｔ≧Ｔが成立するか否かを判定する。所定時間Ｔは、プロトコルチェックに要する時間である。演算回路１０１は、ｔ≧Ｔが成立する場合にステップＳ１６を肯定判定してステップＳ１７へ進み、ｔ≧Ｔが成立しない場合にステップＳ１６を否定判定してステップＳ１２へ戻る。ステップＳ１７へ進む場合は、撮影レンズＬが装着されていない場合であり、ステップＳ１２へ戻る場合は、プロトコルチェックの途中である。ステップＳ１７において、演算回路１０１は、フラグＬに０をセットしてステップＳ１５へ進む。
【００３４】
設定処理の詳細について、図４、図５および図６のフローチャートを参照して説明する。図４のステップＳ１０１において、演算回路１０１は、カスタムセッティング操作が行われたか否かを判定する。演算回路１０１は、カスタムセッティング操作部材１０６から操作信号が入力された場合にステップＳ１０１を肯定判定してステップＳ１０２へ進み、操作信号が入力されない場合にステップＳ１０１を否定判定し、図５のステップＳ１２１へ進む。
【００３５】
ステップＳ１０２において、演算回路１０１は、カスタムセッティング操作部材１０６による操作信号が感度自動変更モードの設定／解除操作に対応するか否かを判定する。演算回路１０１は、感度自動変更モード設定／解除操作である場合にステップＳ１０２を肯定判定してステップＳ１０３へ進み、感度自動変更モード設定／解除操作でない場合にステップＳ１０２を否定判定し、ステップＳ１０６へ進む。
【００３６】
ステップＳ１０３において、演算回路１０１は、感度自動変更モード設定フラグＳ＝０か否かを判定する。演算回路１０１は、Ｓ＝０（撮像感度自動変更モードが解除されている）の場合にステップＳ１０３を肯定判定してステップＳ１０４へ進み、Ｓ＝１（撮像感度自動変更モードに設定されている）の場合にステップＳ１０３を否定判定してステップＳ１０５へ進む。ステップＳ１０４において、演算回路１０１は、フラグＳを１にセット（撮像感度自動変更モードに設定）して図４による処理を終了し、図２のステップＳ５へ進む。ステップＳ１０５において、演算回路１０１は、フラグＳを０にセット（撮像感度自動変更モードを解除）して図４による処理を終了し、図２のステップＳ５へ進む。
【００３７】
ステップＳ１０６において、演算回路１０１は、カスタムセッティング操作部材１０６による操作信号が感度変更シャッタ速度ＴＶ０の変更操作に対応するか否かを判定する。演算回路１０１は、感度変更シャッタ速度ＴＶ０の変更操作である場合にステップＳ１０６を肯定判定してステップＳ１０７へ進み、感度変更シャッタ速度ＴＶ０の変更操作でない場合にステップＳ１０６を否定判定し、図４による処理を終了して図２のステップＳ５へ進む。
【００３８】
ステップＳ１０７において、演算回路１０１は、高速化設定か否かの判定を行う。演算回路１０１は、感度変更シャッタ速度ＴＶ０の変更操作が高速化を指示する場合にステップＳ１０７を肯定判定してステップＳ１０８へ進み、変更操作が高速化を指示しない場合にステップＳ１０７を否定判定し、ステップＳ１１０へ進む。
【００３９】
ステップＳ１０８において、演算回路１０１は、ＴＶ０＝７か否かを判定する。演算回路１０１は、ＴＶ０＝７（感度変更シャッタ速度が１／１２５秒）の場合にステップＳ１０８を肯定判定して図４による処理を終了し、図２のステップＳ５へ進む。この場合は、感度変更シャッタ速度設定範囲の上限なので高速化しないで設定処理を終了する。一方、演算回路１０１は、ＴＶ０≠７の場合にステップＳ１０８を否定判定し、ステップＳ１０９へ進む。ステップＳ１０９において、演算回路１０１は、感度変更シャッタ速度ＴＶ０に１を加算して図４による処理を終了し、図２のステップＳ５へ進む。これにより、感度変更シャッタ速度ＴＶ０が１段階高速になる。
【００４０】
ステップＳ１１０において、演算回路１０１は、低速化設定か否かの判定を行う。演算回路１０１は、感度変更シャッタ速度ＴＶ０の変更操作が低速化を指示する場合に、ステップＳ１１０を肯定判定してステップＳ１１１へ進む。演算回路１０１は、変更操作が低速化を指示しない場合にステップＳ１１０を否定判定し、図４による処理を終了して図２のステップＳ５へ進む。
【００４１】
ステップＳ１１１において、演算回路１０１は、ＴＶ０＝−５か否かを判定する。演算回路１０１は、ＴＶ０＝−５（感度変更シャッタ速度が３０秒）の場合にステップＳ１１１を肯定判定して図４による処理を終了し、図２のステップＳ５へ進む。この場合は、感度変更シャッタ速度設定範囲の下限なので低速化しないで設定処理を終了する。一方、演算回路１０１は、ＴＶ０≠−５の場合にステップＳ１１１を否定判定し、ステップＳ１１２へ進む。ステップＳ１１２において、演算回路１０１は、感度変更シャッタ速度ＴＶ０から１を減算して図４による処理を終了し、図２のステップＳ５へ進む。これにより、感度変更シャッタ速度ＴＶ０が１段階低速になる。
【００４２】
図５のステップＳ１２１において、演算回路１０１は、撮像感度について変更操作されたか否かを判定する。演算回路１０１は、感度設定操作部材１０２から操作信号が入力された場合にステップＳ１２１を肯定判定してステップＳ１２２へ進み、感度設定操作部材１０２から操作信号が入力されない場合にステップＳ１２１を否定判定し、ステップＳ１２８へ進む。
【００４３】
ステップＳ１２２において、演算回路１０１は、感度アップか否かの判定を行う。演算回路１０１は、感度設定操作部材１０２からの操作信号が感度アップを指示する場合にステップＳ１２２を肯定判定してステップＳ１２３へ進み、操作信号が感度アップを指示しない場合にステップＳ１２２を否定判定してステップＳ１２５へ進む。
【００４４】
ステップＳ１２３において、演算回路１０１は、ＳＶｓ＝９か否かを判定する。演算回路１０１は、ＳＶｓ＝９（設定撮像感度がＩＳＯ１６００相当）の場合にステップＳ１２３を肯定判定して図５による処理を終了し、図２のステップＳ５へ進む。この場合は、撮像感度設定範囲の上限なのでさらなる感度アップをすることなく設定処理を終了する。一方、演算回路１０１は、ＳＶｓ≠９の場合にステップＳ１２３を否定判定し、ステップＳ１２４へ進む。ステップＳ１２４において、演算回路１０１は、設定撮像感度ＳＶｓに１を加算して図５による処理を終了し、図２のステップＳ５へ進む。これにより、設定撮像感度ＳＶｓが１段階高く変更される。
【００４５】
ステップＳ１２５において、演算回路１０１は、感度ダウンか否かの判定を行う。演算回路１０１は、感度設定操作部材１０２からの操作信号が感度ダウンを指示する場合にステップＳ１２５を肯定判定してステップＳ１２６へ進む。演算回路１０１は、操作信号が感度ダウンを指示しない場合にステップＳ１２５を否定判定し、図５による処理を終了して図２のステップＳ５へ進む。
【００４６】
ステップＳ１２６において、演算回路１０１は、ＳＶｓ＝５か否かを判定する。演算回路１０１は、ＳＶｓ＝５（設定撮像感度がＩＳＯ１００相当）の場合にステップＳ１２６を肯定判定して図５による処理を終了し、図２のステップＳ５へ進む。この場合は、撮像感度設定範囲の下限なのでさらなる感度ダウンをすることなく設定処理を終了する。一方、演算回路１０１は、ＳＶｓ≠５の場合にステップＳ１２６を否定判定し、ステップＳ１２７へ進む。ステップＳ１２７において、演算回路１０１は、設定撮像感度ＳＶｓから１を減算して図５による処理を終了し、図２のステップＳ５へ進む。これにより、設定撮像感度ＳＶｓが１段階低く変更される。
【００４７】
ステップＳ１２１を否定判定して進むステップＳ１２８において、演算回路１０１は、露出モードについて変更操作が行われたか否かを判定する。演算回路１０１は、露出モード設定操作部材１０３から操作信号が入力された場合にステップＳ１２８を肯定判定してステップＳ１２９へ進み、露出モード設定操作部材１０３から操作信号が入力されない場合にステップＳ１２８を否定判定し、図６のステップＳ１４１へ進む。
【００４８】
ステップＳ１２９において、演算回路１０１は、モードパラメータＭｐ＝４か否かを判定する。演算回路１０１は、Ｍｐ＝４（電子カメラがマニュアル露出モード（Ｍ）に設定されている）の場合にステップＳ１２９を肯定判定してステップＳ１３１へ進み、Ｍｐ≠４の場合にステップＳ１２９を否定判定し、ステップＳ１３０へ進む。
【００４９】
ステップＳ１３０において、演算回路１０１は、モードパラメータＭｐに１を加算し（Ｍｐの値に対応する露出制御モードに変更する）、図５による処理を終了して図２のステップＳ５へ進む。ステップＳ１３１において、演算回路１０１は、モードパラメータＭｐを１に設定し（プログラム自動露出制御モード（Ｐ）に変更する）、図５による処理を終了して図２のステップＳ５へ進む。これにより、露出モード設定操作部材１０３から操作信号が演算回路１０１へ入力されるごとに、露出制御モードがＰ→Ｓ→Ａ→Ｍ→Ｐ…とサイクリックに変更される。
【００５０】
図６のステップＳ１４１において、演算回路１０１は、モードパラメータＭｐ＝２か否かを判定する。演算回路１０１は、Ｍｐ＝２（電子カメラがシャッタ速度優先（露光時間優先）自動露出制御モード（Ｓ）に設定されている）の場合にステップＳ１４１を肯定判定してステップＳ１４３へ進み、Ｍｐ≠２の場合にステップＳ１４１を否定判定し、ステップＳ１４２へ進む。
【００５１】
ステップＳ１４２において、演算回路１０１は、モードパラメータＭｐ＝４か否かを判定する。演算回路１０１は、Ｍｐ＝４（電子カメラがマニュアル露出モード（Ｍ）に設定されている）の場合にステップＳ１４２を肯定判定してステップＳ１４３へ進み、Ｍｐ≠４の場合にステップＳ１４２を否定判定してステップＳ１５０へ進む。
【００５２】
ステップＳ１４３において、演算回路１０１は、シャッタ速度の変更操作が行われたか否かを判定する。演算回路１０１は、シャッタ速度設定操作部材１０４から操作信号が入力された場合にステップＳ１４３を肯定判定してステップＳ１４４へ進み、シャッタ速度設定操作部材１０４から操作信号が入力されない場合にステップＳ１４３を否定判定してステップＳ１５０へ進む。
【００５３】
ステップＳ１４４において、演算回路１０１は、高速化設定か否かの判定を行う。演算回路１０１は、シャッタ速度設定操作部材１０４からの操作信号が高速化を指示する場合にステップＳ１４４を肯定判定してステップＳ１４５へ進み、操作信号が高速化を指示しない場合にステップＳ１４４を否定判定し、ステップＳ１４７へ進む。
【００５４】
ステップＳ１４５において、演算回路１０１は、ＴＶｓ＝１２か否かを判定する。演算回路１０１は、ＴＶｓ＝１２（設定シャッタ速度が１／４０００秒）の場合にステップＳ１４５を肯定判定して図６による処理を終了し、図２のステップＳ５へ進む。この場合は、シャッタ速度設定範囲の上限なので高速化しないで設定処理を終了する。一方、演算回路１０１は、ＴＶｓ≠１２の場合にステップＳ１４５を否定判定し、ステップＳ１４６へ進む。ステップＳ１４６において、演算回路１０１は、設定シャッタ速度ＴＶｓに１を加算して図６による処理を終了し、図２のステップＳ５へ進む。これにより、設定シャッタ速度ＴＶｓが１段階高速になる。
【００５５】
ステップＳ１４７において、演算回路１０１は、低速化設定か否かの判定を行う。演算回路１０１は、シャッタ速度設定操作部材１０４からの操作信号が低速化を指示する場合に、ステップＳ１４７を肯定判定してステップＳ１４８へ進む。演算回路１０１は、操作信号が低速化を指示しない場合にステップＳ１４７を否定判定し、図６による処理を終了して図２のステップＳ５へ進む。
【００５６】
ステップＳ１４８において、演算回路１０１は、ＴＶｓ＝−５か否かを判定する。演算回路１０１は、ＴＶｓ＝−５（設定シャッタ速度が３０秒）の場合にステップＳ１４８を肯定判定して図６による処理を終了し、図２のステップＳ５へ進む。この場合は、シャッタ速度設定範囲の下限なので低速化しないで設定処理を終了する。一方、演算回路１０１は、ＴＶｓ≠−５の場合にステップＳ１４８を否定判定し、ステップＳ１４９へ進む。ステップＳ１４９において、演算回路１０１は、設定シャッタ速度ＴＶｓから１を減算して図６による処理を終了し、図２のステップＳ５へ進む。これにより、設定シャッタ速度ＴＶｓが１段階低速になる。
【００５７】
ステップＳ１５０において、演算回路１０１は、モードパラメータＭｐ＝３か否かを判定する。演算回路１０１は、Ｍｐ＝３（電子カメラが絞り優先自動露出制御モード（Ａ）に設定されている）の場合にステップＳ１５０を肯定判定してステップＳ１５２へ進み、Ｍｐ≠３の場合にステップＳ１５０を否定判定し、ステップＳ１５１へ進む。
【００５８】
ステップＳ１５１において、演算回路１０１は、モードパラメータＭｐ＝４か否かを判定する。演算回路１０１は、Ｍｐ＝４（電子カメラがマニュアル露出モード（Ｍ）に設定されている）の場合にステップＳ１５１を肯定判定してステップＳ１５２へ進み、Ｍｐ≠４の場合にステップＳ１５１を否定判定し、図６による処理を終了して図２のステップＳ５へ進む。
【００５９】
ステップＳ１５２において、演算回路１０１は、絞り値の変更操作が行われたか否かを判定する。演算回路１０１は、絞り設定操作部材１０５から操作信号が入力された場合にステップＳ１５２を肯定判定してステップＳ１５３へ進み、絞り設定操作部材１０５から操作信号が入力されない場合にステップＳ１２５を否定判定し、図６による処理を終了して図２のステップＳ５へ進む。
【００６０】
ステップＳ１５３において、演算回路１０１は、絞り口径を小さくする設定か否かの判定を行う。演算回路１０１は、絞り設定操作部材１０５からの操作信号が絞り値を大きくする方向を指示する場合にステップＳ１５３を肯定判定してステップＳ１５４へ進み、操作信号が絞り値を大きくする方向を指示しない場合にステップＳ１５３を否定判定してステップＳ１５６へ進む。
【００６１】
ステップＳ１５４において、演算回路１０１は、ＡＶｓ＝ＡＶＭか否かを判定する。演算回路１０１は、ＡＶｓ＝ＡＶＭ（設定絞り値が最小口径絞り値に等しい）の場合にステップＳ１５４を肯定判定して図６による処理を終了し、図２のステップＳ５へ進む。この場合は、絞り値設定範囲の上限なので、さらなる絞り込みをしないで設定処理を終了する。一方、演算回路１０１は、ＡＶｓ≠ＡＶＭの場合にステップＳ１５４を否定判定し、ステップＳ１５５へ進む。ステップＳ１５５において、演算回路１０１は、設定絞り値ＡＶｓに１を加算して図６による処理を終了し、図２のステップＳ５へ進む。これにより、絞り口径が１絞り分小さくなる。すなわち、設定絞り値ＡＶｓが１段階大きくなる。
【００６２】
ステップＳ１５６において、演算回路１０１は、絞り口径を大きくする設定か否かの判定を行う。演算回路１０１は、絞り設定操作部材１０５からの操作信号が絞り値を小さくする方向を指示する場合にステップＳ１５６を肯定判定してステップＳ１５７へ進む。演算回路１０１は、操作信号が絞り値を小さくする方向を指示しない場合にステップＳ１５６を否定判定し、図６による処理を終了して図２のステップＳ５へ進む。
【００６３】
ステップＳ１５７において、演算回路１０１は、ＡＶｓ＝ＡＶ０か否かを判定する。演算回路１０１は、ＡＶｓ＝ＡＶ０（設定絞り値が開放絞り値に等しい）の場合にステップＳ１５７を肯定判定して図６による処理を終了し、図２のステップＳ５へ進む。この場合は、絞り値設定範囲の下限なので、さらに絞りを開くことなしに設定処理を終了する。一方、演算回路１０１は、ＡＶｓ≠ＡＶ０の場合にステップＳ１５７を否定判定し、ステップＳ１５８へ進む。ステップＳ１５８において、演算回路１０１は、設定絞り値ＡＶｓから１を減算して図６による処理を終了し、図２のステップＳ５へ進む。これにより、絞り口径が１絞り分大きくなる。すなわち、設定絞り値ＡＶｓが１段階小さくなる。
【００６４】
露出演算処理の詳細について、図７〜図１２のフローチャートを参照して説明する。図７のステップＳ２０１において、演算回路１０１は、ステップＳ５にてレンズ透過光量（ＢＶ−ＡＶ０）をもとに算出した被写体輝度ＢＶを用いて、ＥＶ＝ＢＶ＋ＳＶｓを演算してステップＳ２０２へ進む。ここで、ＥＶは露出値である。設定撮像感度ＳＶｓは、感度設定操作部材１０２の操作により設定されている撮像感度である。
【００６５】
ステップＳ２０２において、演算回路１０１は、モードパラメータＭｐ＝１か否かを判定する。演算回路１０１は、Ｍｐ＝１（電子カメラがプログラム自動露出制御モード（Ｐ）に設定されている）の場合にステップＳ２０２を肯定判定してステップＳ２０３へ進み、Ｍｐ≠１の場合にステップＳ２０２を否定判定し、図１０のステップＳ２５１へ進む。
【００６６】
ステップＳ２０３以降の処理は、プログラム自動露出演算を行う。すなわち、被写体輝度ＢＶおよび設定撮像感度ＳＶｓから求められる露出値ＥＶを用いて制御露出（ＡＶｃ＋ＴＶｃ）を演算する。制御絞り値ＡＶｃの範囲は、ＡＶ０≦ＡＶｃ≦ＡＶＭである。制御シャッタ速度ＴＶｃの範囲は、−５≦ＴＶｃ≦１２、すなわち、３０秒〜１／４０００秒である。プログラム自動露出演算によって適正露出が得られないとき、撮像感度自動変更モードに設定されていれば、設定撮像感度ＳＶｓを変更して制御撮像感度ＳＶｃを演算する。このとき、制御シャッタ速度ＴＶｃの範囲を一旦感度変更シャッタ速度ＴＶ０≦ＴＶｃ≦１２とした上で制御撮像感度ＳＶｃを決定する。感度変更シャッタ速度ＴＶ０は、−５（３０秒）≦ＴＶ０≦７、すなわち、３０秒〜１／１２５秒の範囲で設定されている値である。制御撮像感度ＳＶｃの範囲は設定撮像感度ＳＶｓと同じであり、５≦ＳＶｃ≦９、すなわち、ＩＳＯ１００〜１６００相当である。制御撮像感度ＳＶｃを変更しても適正露出が得られないとき、制御シャッタ速度ＴＶｃの範囲を再び−５≦ＴＶｃ≦１２に広げて制御露出（ＡＶｃ＋ＴＶｃ）を演算する。
【００６７】
ステップＳ２０３において、演算回路１０１は、ＡＶｃ＝ＥＶ／２−１を演算してステップＳ２０４へ進む。ここで、ＡＶｃは制御絞り値である。ステップＳ２０４において、演算回路１０１は、ＡＶｃ＜ＡＶ０が成立するか否かを判定する。演算回路１０１は、ＡＶｃ＜ＡＶ０が成立する（制御絞り値が開放絞り値より小さい）場合にステップＳ２０４を肯定判定してステップＳ２０５へ進み、ＡＶｃ＜ＡＶ０が成立しない場合にステップＳ２０４を否定判定してステップＳ２０６へ進む。ステップＳ２０５において、演算回路１０１は、制御絞り値ＡＶｃをＡＶ０の値にセットしてステップＳ２０８へ進む。これにより、制御絞り値が制御範囲の下限である開放絞り値にセットされる。
【００６８】
上述したステップＳ２０４を否定判定して進むステップＳ２０６において、演算回路１０１は、ＡＶｃ＞ＡＶＭが成立するか否かを判定する。演算回路１０１は、ＡＶｃ＞ＡＶＭが成立する（制御絞り値が最小口径絞り値より大きい）場合にステップＳ２０６を肯定判定してステップＳ２０７へ進み、ＡＶｃ＞ＡＶＭが成立しない場合にステップＳ２０６を否定判定してステップＳ２０８へ進む。ステップＳ２０７において、演算回路１０１は、制御絞り値ＡＶｃをＡＶＭの値にセットしてステップＳ２０８へ進む。これにより、制御絞り値が制御範囲の上限である最小口径絞り値にセットされる。
【００６９】
ステップＳ２０８において、演算回路１０１は、制御絞りパルス数Ｐｃを絞り込み段数（ＡＶｃ−ＡＶ０）の関数ｆとして算出し、ステップＳ２０９へ進む。制御絞りパルス数Ｐｃは、制御絞り値ＡＶｃで絞りを係止するまでに絞り位置検出装置１１６から出力される検出パルス数である。絞り込み段数と絞りパルス数とは基本的に比例関係にあるが、絞り開放付近で出力される絞り検出パルス数が多くなるので、絞り込み段数（ＡＶｃ−ＡＶ０）の関数ｆとして算出する。ステップＳ２０９において、演算回路１０１は、ＴＶｃ＝ＥＶ−ＡＶｃを演算してステップＳ２１０へ進む。ここで、ＴＶｃは制御シャッタ速度である。
【００７０】
ステップＳ２１０において、演算回路１０１は、ＴＶｃ＜−５が成立するか否かを判定する。演算回路１０１は、ＴＶｃ＜−５が成立する（制御シャッタ速度が３０秒より低速）場合にステップＳ２１０を肯定判定してステップＳ２１１へ進み、ＴＶｃ＜−５が成立しない場合にステップＳ２１０を否定判定してステップＳ２１２へ進む。ステップＳ２１１において、演算回路１０１は、制御シャッタ速度ＴＶｃに−５をセットしてステップＳ２１４へ進む。これにより、制御シャッタ速度が制御範囲の下限である３０秒にセットされる。
【００７１】
上述したステップＳ２１０を否定判定して進むステップＳ２１２において、演算回路１０１は、ＴＶｃ＞１２が成立するか否かを判定する。演算回路１０１は、ＴＶｃ＞１０が成立する（制御シャッタ速度が１／４０００秒より高速）場合にステップＳ２１２を肯定判定してステップＳ２１３へ進み、ＴＶｃ＞１２が成立しない場合にステップＳ２１２を否定判定してステップＳ２１４へ進む。ステップＳ２１３において、演算回路１０１は、制御シャッタ速度ＴＶｃに１２をセットしてステップＳ２１４へ進む。これにより、制御シャッタ速度が制御範囲の上限である１／４０００秒にセットされる。
【００７２】
ステップＳ２１４において、演算回路１０１は、感度自動変更モード設定フラグＳ＝１か否かを判定する。演算回路１０１は、Ｓ＝１（撮像感度自動変更モードに設定）の場合にステップＳ２１４を肯定判定してステップＳ２１７へ進み、Ｓ＝０（撮像感度自動変更モードが解除）の場合にステップＳ２１４を否定判定してステップＳ２１５へ進む。ステップＳ２１５において、演算回路１０１は、制御撮像感度ＳＶｃに設定撮像感度ＳＶｓをセットしてステップＳ２１６へ進む。ステップＳ２１６において、演算回路１０１は、フラグＣを０にセットして図７による処理を終了し、図２のステップＳ７へ進む。ここで、フラグＣは撮像感度が設定撮像感度ＳＶｓから変更された場合（ＳＶｃ≠ＳＶｓ）に１、撮像感度が設定撮像感度ＳＶｓから変更されない場合（ＳＶｃ＝ＳＶｓ）に０とするフラグである。
【００７３】
ステップＳ２１７において、演算回路１０１は、ＴＶｃ＜ＴＶ０が成立するか否かを判定する。演算回路１０１は、ＴＶｃ＜ＴＶ０が成立する（制御シャッタ速度が感度変更シャッタ速度より低速）場合にステップＳ２１７を肯定判定して図８のステップＳ２２１へ進み、ＴＶｃ＜ＴＶ０が成立しない場合にステップＳ２１７を否定判定して図９のステップＳ２４１へ進む。
【００７４】
図８のステップＳ２２１において、演算回路１０１は、次式（１）によってシャッタ速度差分ΔＴＶを演算してステップＳ２２２へ進む。
【数１】
ΔＴＶ＝ＴＶ０−ＴＶｃ                              （１）
【００７５】
ステップＳ２２２において、演算回路１０１は、制御シャッタ速度ＴＶｃに感度変更シャッタ速度ＴＶ０の値をセットしてステップＳ２２３へ進む。これにより、制御シャッタ速度ＴＶｃが感度変更シャッタ速度ＴＶ０まで一旦速められる。ステップＳ２２３において、演算回路１０１は、ＳＶｃ＝ＳＶｓ＋ΔＴＶを演算してステップＳ２２４へ進む。これにより、感度変更シャッタ速度ＴＶ０の状態で適正露出が得られるように、設定撮像感度ＳＶｓを変更して制御撮像感度ＳＶｃが得られる。
【００７６】
ステップＳ２２４において、演算回路１０１は、ＳＶｃ＞９が成立するか否かを判定する。演算回路１０１は、ＳＶｃ＞９が成立する（制御撮像感度がＩＳＯ１６００相当より高い）場合にステップＳ２２４を肯定判定してステップＳ２２５へ進み、ＳＶｃ＞９が成立しない場合にステップＳ２２４を否定判定してステップＳ２３０へ進む。ステップＳ２２５において、演算回路１０１は、制御撮像感度ＳＶｃに９をセットしてステップＳ２２６へ進む。これにより、制御撮像感度が制御範囲の上限であるＩＳＯ１６００相当にセットされる。
【００７７】
ステップＳ２２６において、演算回路１０１は、次式（２）によって撮像感度差分ΔＳＶを演算してステップＳ２２７へ進む。
【数２】
ΔＳＶ＝ＳＶｓ＋ΔＴＶ−ＳＶｃ                      （２）
【００７８】
ステップＳ２２７において、演算回路１０１は、ＴＶｃ＝ＴＶ０−ΔＳＶを演算してステップＳ２２８へ進む。これにより、制御撮像感度ＳＶｃがＩＳＯ１６００相当の状態で適正露出が得られるように、制御シャッタ速度ＴＶｃが感度変更シャッタ速度ＴＶ０より低速に変更される。
【００７９】
ステップＳ２２８において、演算回路１０１は、ＴＶｃ＜−５が成立するか否かを判定する。演算回路１０１は、ＴＶｃ＜−５が成立する（制御シャッタ速度が３０秒より遅い）場合にステップＳ２２８を肯定判定してステップＳ２２９へ進み、ＴＶｃ＜−５が成立しない場合にステップＳ２２８を否定判定してステップＳ２３０へ進む。ステップＳ２２９において、演算回路１０１は、制御シャッタ速度ＴＶｃに−５をセットしてステップＳ２３０へ進む。これにより、制御シャッタ速度ＴＶｃが制御範囲の下限である３０秒にセットされる。
【００８０】
ステップＳ２３０において、演算回路１０１は、ＳＶｃ＝ＳＶｓが成立するか否かを判定する。演算回路１０１は、ＳＶｃ＝ＳＶｓが成立しない場合にステップＳ２３０を否定判定してステップＳ２３１へ進み、ＳＶｃ＝ＳＶｓが成立する場合にステップＳ２３０を肯定判定してステップＳ２３２へ進む。ステップＳ２３１において、演算回路１０１は、フラグＣを１にセットして図８による処理を終了し、図２のステップＳ７へ進む。ステップＳ２３２において、演算回路１０１は、フラグＣを０にセットして図８による処理を終了し、図２のステップＳ７へ進む。
【００８１】
図７のステップＳ２１７を否定判定して進む図９のステップＳ２４１において、演算回路１０１は、次式（３）によって露出偏差ΔＥＶを演算してステップＳ２４２へ進む。
【数３】
ΔＥＶ＝ＡＶｃ＋ＴＶｃ−ＥＶ                        （３）
ただし、（ＡＶｃ＋ＴＶｃ）は制御露出であり、ＥＶは適正露出である。
【００８２】
ステップＳ２４２において、演算回路１０１は、｜ΔＥＶ｜＜δが成立するか否かを判定する。所定値δは、たとえば、１／１２または１／６とする。演算回路１０１は、｜ΔＥＶ｜＜δが成立しない場合にステップＳ２４２を否定判定してステップＳ２４３へ進み、｜ΔＥＶ｜＜δが成立する場合にステップＳ２４２を肯定判定してステップＳ２４４へ進む。ステップＳ２４３へ進む場合は、適正露出に対して露出偏差があるとみなし、ステップＳ２４４へ進む場合は、適正露出が得られているとみなす。
【００８３】
ステップＳ２４３において、演算回路１０１は、ＳＶｃ＝ＳＶｓ＋ΔＥＶを演算してステップＳ２４４へ進む。これにより、適正露出が得られるように設定撮像感度ＳＶｓを変更して制御撮像感度ＳＶｃが得られる。
【００８４】
ステップＳ２４４において、演算回路１０１は、ＳＶｃ＞９が成立するか否かを判定する。演算回路１０１は、ＳＶｃ＞９が成立する（制御撮像感度がＩＳＯ１６００相当より高い）場合にステップＳ２４４を肯定判定してステップＳ２４５へ進み、ＳＶｃ＞９が成立しない場合にステップＳ２４４を否定判定してステップＳ２４６へ進む。ステップＳ２４５において、演算回路１０１は、制御撮像感度ＳＶｃの値を９にセットして図８のステップＳ２３０へ進む。これにより、制御撮像感度が制御範囲の上限であるＩＳＯ１６００相当にセットされる。
【００８５】
ステップＳ２４６において、演算回路１０１は、ＳＶｃ＜５が成立するか否かを判定する。演算回路１０１は、ＳＶｃ＜５が成立する（制御撮像感度がＩＳＯ１００相当より低い）場合にステップＳ２４６を肯定判定してステップＳ２４７へ進み、ＳＶｃ＜５が成立しない場合にステップＳ２４６を否定判定して図８のステップＳ２３０へ進む。ステップＳ２４７において、演算回路１０１は、制御感度ＳＶｃの値を５にセットして図８のステップＳ２３０へ進む。これにより、制御感度が制御範囲の下限であるＩＳＯ１００相当にセットされる。
【００８６】
図７のステップＳ２０２を否定判定して進む図１０のステップＳ２５１において、演算回路１０１は、モードパラメータＭｐ＝２か否かを判定する。演算回路１０１は、Ｍｐ＝２（電子カメラがシャッタ速度優先自動露出制御モード（Ｓ）に設定されている）の場合にステップＳ２５１を肯定判定してステップＳ２５２へ進み、Ｍｐ≠２の場合にステップＳ２５１を否定判定し、図１１のステップＳ２７１へ進む。
【００８７】
ステップＳ２５２以降の処理は、シャッタ速度優先自動露出演算を行う。すなわち、露出値ＥＶおよび設定シャッタ速度ＴＶｓを用いて制御露出（ＡＶｃ＋ＴＶｓ）を演算する。ステップＳ２５２において、演算回路１０１は、制御シャッタ速度ＴＶｃに設定シャッタ速度ＴＶｓをセットしてステップＳ２５３へ進む。ステップＳ２５３において、演算回路１０１は、ＡＶｃ＝ＥＶ−ＴＶｓを演算してステップＳ２５４へ進む。ここで、ＡＶｃは制御絞り値である。
【００８８】
ステップＳ２５４において、演算回路１０１は、ＡＶｃ＜ＡＶ０が成立するか否かを判定する。演算回路１０１は、ＡＶｃ＜ＡＶ０が成立する（制御絞り値が開放絞り値より小さい）場合にステップＳ２５４を肯定判定してステップＳ２５５へ進み、ＡＶｃ＜ＡＶ０が成立しない場合にステップＳ２５４を否定判定してステップＳ２５６へ進む。ステップＳ２５５において、演算回路１０１は、制御絞り値ＡＶｃをＡＶ０の値にセットしてステップＳ２５８へ進む。これにより、制御絞り値が制御範囲の下限である開放絞り値にセットされる。
【００８９】
上述したステップＳ２５４を否定判定して進むステップＳ２５６において、演算回路１０１は、ＡＶｃ＞ＡＶＭが成立するか否かを判定する。演算回路１０１は、ＡＶｃ＞ＡＶＭが成立する（制御絞り値が最小口径絞り値より大きい）場合にステップＳ２５６を肯定判定してステップＳ２５７へ進み、ＡＶｃ＞ＡＶＭが成立しない場合にステップＳ２０５を否定判定してステップＳ２５８へ進む。ステップＳ２５７において、演算回路１０１は、制御絞り値ＡＶｃをＡＶＭの値にセットしてステップＳ２５８へ進む。これにより、制御絞り値が制御範囲の上限である最小口径絞り値にセットされる。
【００９０】
ステップＳ２５８において、演算回路１０１は、制御絞りパルス数Ｐｃを絞り込み段数（ＡＶｃ−ＡＶ０）の関数ｆとして算出し、ステップＳ２５９へ進む。ステップＳ２５９において、演算回路１０１は、感度自動変更モード設定フラグＳ＝１か否かを判定する。演算回路１０１は、Ｓ＝１（撮像感度自動変更モードに設定）の場合にステップＳ２５９を肯定判定して図９のステップＳ２４１へ進み、Ｓ＝０（撮像感度自動変更モードが解除）の場合にステップＳ２５９を否定判定してステップＳ２６０へ進む。
【００９１】
ステップＳ２６０において、演算回路１０１は、制御撮像感度ＳＶｃに設定撮像感度ＳＶｓをセットしてステップＳ２６１へ進む。ステップＳ２６１において、演算回路１０１は、フラグＣを０にセットして図１０による処理を終了し、図２のステップＳ７へ進む。
【００９２】
図１０のステップＳ２５１を否定判定して進む図１１のステップＳ２７１において、演算回路１０１は、モードパラメータＭｐ＝３か否かを判定する。演算回路１０１は、Ｍｐ＝３（電子カメラが絞り優先自動露出制御モード（Ａ）に設定されている）の場合にステップＳ２７１を肯定判定してステップＳ２７２へ進み、Ｍｐ≠３の場合にステップＳ２７１を否定判定し、図１２のステップＳ２９１へ進む。
【００９３】
ステップＳ２７２以降の処理は、絞り優先自動露出演算を行う。すなわち、露出値ＥＶおよび設定絞り値ＡＶｓを用いて制御露出（ＴＶｃ＋ＡＶｓ）を演算する。制御シャッタ速度ＴＶｃの範囲は、−５≦ＴＶｃ≦１２である。絞り優先自動露出演算によって適正露出が得られないとき、撮像感度自動変更モードに設定されていれば、設定撮像感度ＳＶｓを変更して制御撮像感度ＳＶｃを演算する。このとき、制御シャッタ速度ＴＶｃの範囲を一旦、感度変更シャッタ速度ＴＶ０≦ＴＶｃ≦１２とした上で制御撮像感度ＳＶｃを決定する。制御撮像感度ＳＶｃの範囲は設定撮像感度ＳＶｓと同じであり、５≦ＳＶｃ≦９である。制御撮像感度ＳＶｃを変更しても適正露出が得られないとき、制御シャッタ速度ＴＶｃの範囲を再び−５≦ＴＶｃ≦１２に広げて制御露出（ＴＶｃ＋ＡＶｓ）を演算する。
【００９４】
ステップＳ２７２において、演算回路１０１は、制御絞り値ＡＶｃに設定絞り値ＡＶｓをセットしてステップＳ２７３へ進む。ステップＳ２７３において、演算回路１０１は、制御絞りパルス数Ｐｃを絞り込み段数（ＡＶｃ−ＡＶ０）の関数ｆとして算出し、ステップＳ２７４へ進む。ステップＳ２７４において、演算回路１０１は、ＴＶｃ＝ＥＶ−ＡＶｃを演算してステップＳ２７５へ進む。
【００９５】
ステップＳ２７５〜ステップＳ２８２の各処理は、図７におけるステップＳ２１０〜ステップＳ２１７の各処理とそれぞれ同じなので説明を省略する。
【００９６】
図１１のステップＳ２７１を否定判定して進む図１２のステップＳ２９１以降の処理は、マニュアル露出演算を行う。ステップＳ２９１において、演算回路１０１は、制御シャッタ速度ＴＶｃに設定シャッタ速度ＴＶｓをセットしてステップＳ２９２へ進む。ステップＳ２９２において、演算回路１０１は、制御絞り値ＡＶｃに設定絞り値ＡＶｓをセットしてステップＳ２９３へ進む。
【００９７】
ステップＳ２９３〜ステップＳ２９６の各処理は、図１０におけるステップＳ２５８〜ステップＳ２６１の各処理とそれぞれ同じなので説明を省略する。
【００９８】
表示処理の詳細について、図１３のフローチャートを参照して説明する。図１３のステップＳ３０１において、演算回路１０１は、制御シャッタ速度ＴＶｃ、制御絞り値ＡＶｃ、制御撮像感度ＳＶｓ、および露出モードを表示装置１０７にそれぞれ点灯表示させてステップＳ３０２へ進む。表示装置１０７は、それぞれのアペックス値に対応するシャッタ速度値、Ｆ値、対応するＩＳＯ値、露出モードを示すマークなどを表示する。ステップＳ３０２において、演算回路１０１は、感度自動変更モード設定フラグＳ＝１か否かを判定する。演算回路１０１は、Ｓ＝１（撮像感度自動変更モードに設定）の場合にステップＳ３０２を肯定判定してステップＳ３０３へ進み、Ｓ＝０（撮像感度自動変更モードが解除）の場合にステップＳ３０２を否定判定して図１３による処理を終了し、図２のステップＳ８へ進む。
【００９９】
ステップＳ３０３において、演算回路１０１は、制御撮像感度ＳＶｃを表示装置１０７に点灯表示させてステップＳ３０４へ進む。表示装置１０７は、ＳＶｃのアペックス値に対応するＩＳＯ値を表示する。ステップＳ３０４において、演算回路１０１は、フラグＣ＝１か否かを判定する。演算回路１０１は、Ｃ＝１（ＳＶｃ≠ＳＶｓ）の場合にステップＳ３０４を肯定判定してステップＳ３０５へ進み、Ｃ＝０（ＳＶｃ＝ＳＶｓ）の場合にステップＳ３０４を否定判定してステップＳ３０６へ進む。
【０１００】
ステップＳ３０５において、演算回路１０１は、「ＩＳＯ  ＡＵＴＯ」の文字もしくはマークを表示装置１０７に点滅表示させ、図１３による処理を終了して図２のステップＳ８へ進む。ステップＳ３０６において、演算回路１０１は、「ＩＳＯ  ＡＵＴＯ」の文字もしくはマークを表示装置１０７に点灯表示させ、図１３による処理を終了して図２のステップＳ８へ進む。
【０１０１】
撮像シーケンス処理の詳細について、図１４のフローチャートを参照して説明する。図１４のステップＳ４０１において、演算回路１０１は、シャッタ駆動回路１１４に指令を出力し、シャッタ１１５の不図示のマグネットに通電して先幕および後幕を保持させる。ステップＳ４０２において、演算回路１０１は、モータ駆動回路１１２に指令を出力し、シーケンスモータ１１３に正転を開始させてステップＳ４０３へ進む。これにより、不図示のミラーのミラーアップおよび絞りの絞り込みが開始される。ステップＳ４０３において、演算回路１０１は、絞り位置検出装置１１６から入力される信号によって検出絞りパルス数Ｐｋを検出してステップＳ４０４へ進む。
【０１０２】
ステップＳ４０４において、演算回路１０１は、検出絞りパルス数Ｐｋおよび制御絞りパルス数Ｐｃとの間にＰｋ≧Ｐｃが成立するか否かを判定する。演算回路１０１は、Ｐｋ≧Ｐｃが成立する場合にステップＳ４０４を肯定判定してステップＳ４０５へ進み、Ｐｋ≧Ｐｃが成立しない場合にステップＳ４０４を否定判定する。否定判定する場合には、絞り込みを継続して判定処理を繰り返す。
【０１０３】
ステップＳ４０５において、演算回路１０１は、絞り係止装置１１７に指令を出力して絞りを係止させ、ステップＳ４０６へ進む。ステップＳ４０６において、演算回路１０１は、ミラーアップが終了したか否かを判定する。演算回路１０１は、シーケンススイッチＳＷ２からオン信号が入力されるとステップＳ４０６を肯定判定してステップＳ４０７へ進み、シーケンススイッチＳＷ２からオン信号が入力されない場合はステップＳ４０６を否定判定する。否定判定する場合には、ミラーアップを継続して判定処理を繰り返す。
【０１０４】
ステップＳ４０７において、演算回路１０１は、モータ駆動回路１１２に指令を出力し、シーケンスモータ１１３を停止させてステップＳ４０８へ進む。なお、ミラーアップの終了より先に絞り係止装置１１７によって絞りの係止が終了するように不図示のシーケンス駆動装置が構成されている。ステップＳ４０８において、演算回路１０１は、所定時間のウエイトをおいてステップＳ４０９へ進む。所定時間は、ミラーアップ後のバウンドが安定するまでに要する時間とする。
【０１０５】
ステップＳ４０９において、演算回路１０１は、タイミング回路１２４に駆動信号の発生を開始させて撮像素子１２１の駆動を開始し、ステップＳ４１０へ進む。これにより、撮像素子１２１が電荷蓄積を開始する。ステップＳ４１０において、演算回路１０１は、シャッタ駆動回路１１４に指令を出力し、シャッタ１１５の不図示のマグネットへの通電を解除して先幕保持を解除させ、ステップＳ４１１へ進む。これによってシャッタ先幕の走行が開始され、撮像素子１２１の撮像面に到達した被写体光の強さに応じて撮像素子１２１が電荷を蓄積する。ステップＳ４１１において、演算回路１０１は、制御シャッタ速度ＴＶｃに相当する時間のウエイト後にシャッタ駆動回路１１４に指令を出力し、シャッタ１１５の不図示のマグネットへの通電を解除して後幕保持を解除させ、ステップＳ４１２へ進む。これによってシャッタ後幕の走行が開始され、撮像素子１２１への被写体光が遮断される。
【０１０６】
ステップＳ４１２において、演算回路１０１は、所定時間のウエイトをおいてステップＳ４１３へ進む。所定時間は、後幕が撮像素子１２１の撮像領域を完全に遮光し、走行完了するまでに要する時間とする。ステップＳ４１３において、演算回路１０１は、撮像素子１２１の電荷蓄積を終了させてステップＳ４１４へ進む。ステップＳ４１４において、演算回路１０１は、モータ駆動回路１１２に指令を出力し、シーケンスモータ１１３に逆転を開始させてステップＳ４１５へ進む。これにより、不図示のミラーのミラーダウンおよび絞りの開放復帰が開始される。ステップＳ４１５において、演算回路１０１は、タイミング回路１２４に指令を出力し、撮像素子１２１から蓄積電荷の読み出しを行い、ステップＳ４１６へ進む。
【０１０７】
ステップＳ４１６において、演算回路１０１は、ＡＳＩＣ１２３に画像処理を行わせ、ステップＳ４１７へ進む。ステップＳ４１７において、演算回路１０１は、ＡＳＩＣ１２３に画像圧縮処理を行わせ、ステップＳ４１８へ進む。ステップＳ４１８において、演算回路１０１は、画像圧縮後にバッファメモリ１２５に格納されている画像データを記録媒体１２６に記録してステップＳ４１９へ進む。
【０１０８】
ステップＳ４１９において、演算回路１０１は、ミラーダウンが終了したか否かを判定する。演算回路１０１は、シーケンススイッチＳＷ２からオン信号が入力されるとステップＳ４１９を肯定判定してステップＳ４２０へ進み、シーケンススイッチＳＷ２からオン信号が入力されない場合はステップＳ４１９を否定判定し、判定処理を繰り返す。
【０１０９】
ステップＳ４２０において、演算回路１０１は、モータ駆動回路１１２に指令を出力し、シーケンスモータ１１３を停止させて図１４による処理を終了し、図２のステップＳ２へ戻る。これにより、一連の撮影処理が終了する。
【０１１０】
以上説明した第一の実施の形態についてまとめる。
（１）電子カメラはプログラム自動露出制御モード（Ｐ）に設定されると、被写体輝度ＢＶおよび設定撮像感度ＳＶｓを用いて制御露出（ＡＶｃ＋ＴＶｃ）を演算する。制御絞り値ＡＶｃの範囲は、開放絞り値ＡＶ０≦ＡＶｃ≦最小口径絞り値ＡＶＭである。制御シャッタ速度ＴＶｃの範囲は、−５（３０秒）≦ＴＶｃ≦１２（１／４０００秒）である。プログラム自動露出演算によって適正露出が得られないとき、撮像感度自動変更モードに設定されていれば（Ｓ２１４を肯定判定）、設定撮像感度ＳＶｓに代えて制御撮像感度ＳＶｃを演算する（Ｓ２２３）。
【０１１１】
（２）ＴＶｃ＜ＴＶ０が成立する場合（Ｓ２１７を肯定判定）は、制御シャッタ速度ＴＶｃの制御範囲の低速側（長秒時側）を−５（３０秒）からＴＶ０（感度変更シャッタ速度）に一旦変更した上で（Ｓ２２２）、適正露出が得られるように制御撮像感度ＳＶｃを決定する（Ｓ２２３）。低輝度下で制御撮像感度ＳＶｃ≦９（ＩＳＯ１６００相当）の範囲で適正露出が得られないとき（Ｓ２２４を肯定判定）、制御シャッタ速度ＴＶｃの制御範囲の低速側（長秒時側）を−５（３０秒）に戻して（Ｓ２２１、Ｓ２２６、Ｓ２２７）適正露出が得られるように制御露出（ＡＶｃ＋ＴＶｃ）を得る。
【０１１２】
（３）ＴＶ０≦ＴＶｃが成立する場合（Ｓ２１７を否定判定）は、制御シャッタ速度ＴＶｃで適正露出が得られるように制御撮像感度ＳＶｃを決定し（Ｓ２４３）、制御露出（ＡＶｃ＋ＴＶｃ）を得る。
【０１１３】
（４）電子カメラは絞り優先自動露出制御モード（Ａ）に設定されると、被写体輝度ＢＶと設定撮像感度ＳＶから算出される露出値ＥＶおよび設定絞り値ＡＶｓを用いて制御露出（ＴＶｃ＋ＡＶｓ）を演算する。制御シャッタ速度ＴＶｃの範囲は、−５≦ＴＶｃ≦１２である。絞り優先自動露出演算によって適正露出が得られないとき、撮像感度自動変更モードに設定されていれば（Ｓ２７９を肯定判定）、設定撮像感度ＳＶｓに代えて制御撮像感度ＳＶｃを演算する。（Ｓ２２３）用いる。
【０１１４】
（５）ＴＶｃ＜ＴＶ０が成立する場合（Ｓ２８２を肯定判定）は、制御シャッタ速度ＴＶｃの制御範囲の低速側（長秒時側）−５からＴＶ０（感度変更シャッタ速度）に一旦変更した上で（Ｓ２２２）、適正露出が得られるように制御撮像感度ＳＶｃを決定する（Ｓ２２３）。低輝度下で制御撮像感度ＳＶｃ≦９（ＩＳＯ１６００相当）の範囲で適正露出が得られないとき（Ｓ２２４を肯定判定）、制御シャッタ速度ＴＶｃの制御範囲の低速側（長秒時側）範囲を−５（３０秒）に戻して（Ｓ２２１、Ｓ２２６、Ｓ２２７）適正露出が得られるように制御露出（ＴＶｃ＋ＡＶｓ）を得る。
【０１１５】
（６）ＴＶ０≦ＴＶｃが成立する場合（Ｓ２８２を否定判定）は、制御シャッタ速度ＴＶｃで適正露出が得られるように制御撮像感度ＳＶｃを決定し（Ｓ２４３）、制御露出（ＴＶｃ＋ＡＶｓ）を得る。
【０１１６】
以上説明したように、撮像感度自動変更モードが設定されているとき、適正露出を得るために制御シャッタ速度ＴＶｃを感度変更シャッタ速度ＴＶ０（たとえば、１／３０秒）よりも低速にすることが必要な場合に、制御シャッタ速度ＴＶｃをＴＶ０より低速に変更するより先に制御撮像感度ＳＶｃを変更するようにした。したがって、とくに、電子カメラがプログラム自動露出制御モード（Ｐ）、もしくは絞り優先自動露出制御モード（Ａ）の場合には、制御シャッタ速度ＴＶｃがシャッタ速度１／３０秒より低速側に変更される頻度が低くなるので、手ブレの発生頻度を抑えることができる。
【０１１７】
（第二の実施の形態）
第二の実施の形態では、撮影レンズＬの焦点距離に応じて感度変更シャッタ速度ＴＶ０を決定する。図１５は、第二の実施の形態による電子カメラの演算回路１０１で行われるカメラ動作の処理の流れについて説明するフローチャートである。図１５によるプログラムは、図２によるプログラムに代えて実行される。図１５のフローチャートにおいて、図２のフローチャートと同一処理を行うステップには図２と同一ステップ番号を付して説明を省略する。
【０１１８】
図１５のステップＳ５１において、演算回路１０１は、撮影レンズＬとの間で通信１処理を行ってステップＳ３へ進む。通信１処理の詳細について図１６のフローチャートを参照して説明する。図１６による処理は、図３による通信処理に代えて実行される。図１６のフローチャートにおいて、図３のフローチャートと同一処理を行うステップには図３と同一ステップ番号を付して説明を省略する。
【０１１９】
図１６のステップＳ６１において、演算回路１０１は、レンズＣＰＵから取得したレンズ情報に含まれる開放絞り値ＡＶ０、最小口径絞り値ＡＶＭ、および焦点距離ｆｍｍを解読してステップＳ１４へ進む。なお、第二の実施の形態においてはレンズ情報に焦点距離ｆｍｍも含まれている。焦点距離ｆｍｍは、撮影レンズＬが単焦点レンズの場合は当該レンズの焦点距離であり、撮影レンズＬがズームレンズの場合は当該レンズに設定されている焦点距離である。
【０１２０】
図１５のステップＳ５２において、演算回路１０１は、焦点距離ｆｍｍについて、２を底とする対数をとって感度変更シャッタ速度ＴＶ０にセットし、ステップＳ５３へ進む。これにより、（１／焦点距離）秒が感度変更シャッタ速度ＴＶ０の秒時になる。
【０１２１】
ステップＳ５３において、演算回路１０１は、設定１処理を行ってステップＳ５へ進む。設定１処理の詳細について図１７のフローチャートを参照して説明する。図１７による処理は、図４による設定処理に代えて実行される。図１７のフローチャートにおいて、ステップＳ１０２を否定判定した場合に図１７による処理を終了して図１５のステップＳ５へ進む点が図４の処理と異なり、その他の処理は図４の場合と同じである。なお、図４のフローチャートと同一処理を行うステップには図４と同一ステップ番号を付して説明を省略する。
【０１２２】
以上説明した第二の実施の形態では、第一の実施の形態と同様に、電子カメラがプログラム自動露出制御モード（Ｐ）、もしくは絞り優先自動露出制御モード（Ａ）の場合に、低速側限界（上記例では３０秒）より高速のシャッタ速度で制御撮像感度ＳＶｃが変更されるので、手ブレの発生頻度を低くすることができる。
【０１２３】
第二の実施の形態ではさらに、装着されている撮影レンズＬの焦点距離に応じて、感度変更シャッタ速度ＴＶ０を自動的に設定するようにした。これにより、撮影レンズＬを交換した場合などに感度変更シャッタ速度ＴＶ０を変更する操作が不要になる上に、撮影レンズＬに固有の秒時で感度変更シャッタ速度ＴＶ０を設定できる。
【０１２４】
上述したステップＳ５２において、焦点距離ｆｍｍの２を底とする対数をとって感度変更シャッタ速度ＴＶ０を得るようにしたが、この代わりに、焦点距離ｆｍｍの関数ｇとして感度変更シャッタ速度ＴＶ０を得るようにしてもよい（ＴＶ０＝ｇ（ｆｍｍ））。
【０１２５】
撮影レンズＬの焦点距離に係わらず、感度変更シャッタ速度ＴＶ０を固定値にしてもよい。この場合の固定値は、一般的に手ブレが生じやすくなるシャッタ速度、たとえば、４（１／１５秒）≦ＴＶ０≦７（１／１２５秒）のいずれかに設定するのが好ましい。感度変更シャッタ速度ＴＶ０を変更する操作が不要なので、撮影者にとって使いやすい電子カメラが得られる。図１８は、感度変更シャッタ速度ＴＶ０を固定値にした電子カメラの演算回路１０１で行われるカメラ動作の処理の流れについて説明するフローチャートである。図１８による処理は、図２（もしくは図１５）による処理に代えて実行される。図１８のフローチャートにおいて、図２、図１５のフローチャートと同一処理を行うステップには図２、図１５と同一ステップ番号を付して説明を省略する。
【０１２６】
特許請求の範囲における各構成要素と、発明の実施の形態における各構成要素との対応について説明する。撮像装置は、たとえば、撮像素子１２１、タイミング回路１２４によって構成される。輝度検出手段は、たとえば、測光装置１１１および演算回路１０１によって構成される。露光感度は、撮像感度が対応する。自動露出演算手段は、たとえば、演算回路１０１によって構成される。露光時間の設定可能範囲は、たとえば、−５（３０秒）≦ＴＶｃ≦１２（１／４０００秒）が対応する。所定範囲は、たとえば、ＴＶ０（１／３０秒）≦ＴＶｃ≦１２（１／４０００秒）が対応する。長秒時側の露光時間は、たとえば、感度変更シャッタ速度ＴＶ０が対応する。なお、本発明の特徴的な機能を損なわない限り、各構成要素は上記構成に限定されるものではない。
【０１２７】
【発明の効果】
本発明による電子カメラでは、たとえば、露光感度自動変更モードにおいて露光感度が自動変更されやすくなる。
【図面の簡単な説明】
【図１】本発明の第一の実施の形態による電子カメラの構成を示すブロック図である。
【図２】演算回路で行われるカメラ動作の処理の流れについて説明するフローチャートである。
【図３】カメラ本体および撮影レンズ間の通信処理の詳細について説明するフローチャートである。
【図４】設定処理の詳細について説明するフローチャートである。
【図５】設定処理の詳細について説明するフローチャートである。
【図６】設定処理の詳細について説明するフローチャートである。
【図７】露出演算処理の詳細について説明するフローチャートである。
【図８】露出演算処理の詳細について説明するフローチャートである。
【図９】露出演算処理の詳細について説明するフローチャートである。
【図１０】露出演算処理の詳細について説明するフローチャートである。
【図１１】露出演算処理の詳細について説明するフローチャートである。
【図１２】露出演算処理の詳細について説明するフローチャートである。
【図１３】表示処理の詳細について説明するフローチャートである。
【図１４】撮像シーケンス処理の詳細について説明するフローチャートである。
【図１５】第二の実施の形態による電子カメラの演算回路で行われるカメラ動作の処理の流れについて説明するフローチャートである。
【図１６】通信１処理の詳細について説明するフローチャートである。
【図１７】設定１処理の詳細について説明するフローチャートである。
【図１８】カメラ動作の処理の変形例について説明するフローチャートである。
【符号の説明】
１０１…演算回路、                  １０２…感度設定操作部材、
１０３…露出モード設定操作部材、    １０４…シャッタ速度設定操作部材、
１０６…カスタムセッティング操作部材、
１０７…表示装置、                  １０８…レンズ情報検出装置、
Ｌ…撮影レンズ、                ＳＷ１…レリーズスイッチ、
【図１】
2005005971.tif 000003
【図２】
2005005971.tif 000004
【図３】
2005005971.tif 000005
【図４】
2005005971.tif 000006
【図５】
2005005971.tif 000007
【図６】
2005005971.tif 000008
【図７】
2005005971.tif 000009
【図８】
2005005971.tif 000010
【図９】
2005005971.tif 000011
【図１０】
2005005971.tif 000012
【図１１】
2005005971.tif 000013
【図１２】
2005005971.tif 000014
【図１３】
2005005971.tif 000015
【図１４】
2005005971.tif 000016
【図１５】
2005005971.tif 000017
【図１６】
2005005971.tif 000018
【図１７】
2005005971.tif 000019
【図１８】
2005005971.tif 000020